(57)【要約】【課題】専用部品や別部品を用いることなくコードを簡単にクランプすることができる車両用灯具におけるコードのクランプ構造を提供すること。【解決手段】ハウジング（灯体）２とこれに被着されるアウタレンズ（カバー部材）３を備えるヘッドランプ（車両用灯具）１におけるコード６のクランプ構造として、前記ハウジング２の一部に形成された凹部２ｂにコード６を通し、該コード６が通された前記ハウジング２の凹部２ｂの一部を前記アウタレンズ３の一部で覆うことによって前記コード６をハウジング２にクランプする。又、前記ハウジング２の凹部２ｂが前記アウタレンズ３の一部によって覆われることによって該凹部２ｂに開口する隙間δを前記コード６の外径よりも小さく設定する。【選択図】図２
2016173891.tif 000002
【特許請求の範囲】
【請求項１】
灯体とこれに被着されるカバー部材を備える車両用灯具におけるコードのクランプ構造であって、
前記灯体の一部に形成された凹部にコードを通し、該コードが通された前記灯体の凹部の一部を前記カバー部材の一部で覆うことによって前記コードを灯体にクランプすることを特徴とする車両用灯具におけるコードのクランプ構造。
【請求項２】
前記灯体の凹部が前記カバー部材の一部によって覆われることによって該凹部に開口する隙間を前記コードの外径よりも小さく設定したことを特徴とする請求項１記載の車両用灯具におけるコードのクランプ構造。
【請求項３】
前記灯体は、外周縁に沿う溝が形成されたハウジングであり、前記カバー部材は、外周部に略直角に突設された脚部が前記ハウジングの凹溝にはめ込まれて決着されることによって前記ハウジングの開口部を覆うアウタレンズであり、
前記コードが通される凹部を前記ハウジングの凹溝に隣接して形成したことを特徴とする請求項１又は２記載の車両用灯具におけるコードのクランプ構造。
【発明の詳細な説明】
【技術分野】
【０００１】
本発明は、車両用灯具におけるコードのクランプ構造に関するものである。
【背景技術】
【０００２】
例えば、車両の前部左右に配置されるヘッドランプは、ハウジングとその開口部を覆うアウタレンズによって画成される灯室内に、光源、該光源から出射する光を車両前方へと反射させるリフレクタ等の光学部品、光源を駆動制御する制御回路等を収容して構成されている。斯かるヘッドランプにおいては、制御回路と光源とがコードによって電気的に接続されるが、灯室内を取り回されるコードは、クランプ等の専用部品や別部品によってハウジング等の灯体にクランプされている（例えば、特許文献１参照）。
【先行技術文献】
【特許文献】
【０００３】
【特許文献１】特開２００７−０３５５４７号公報
【発明の概要】
【発明が解決しようとする課題】
【０００４】
しかしながら、ヘッドランプ等の車両用灯具において、制御回路と光源とを電気的に接続するコードをクランプ等の専用部品や別部品によってハウジング等にクランプする構成を採用すると、部品点数や組立工数が増加してコストアップを招くという問題があった。
【０００５】
本発明は上記問題に鑑みてなされたもので、その目的とする処は、専用部品や別部品を用いることなくコードを簡単にクランプすることができる車両用灯具におけるコードのクランプ構造を提供することにある。
【課題を解決するための手段】
【０００６】
上記目的を達成するため、請求項１記載の発明は、灯体とこれに被着されるカバー部材を備える車両用灯具におけるコードのクランプ構造として、前記灯体の一部に形成された凹部にコードを通し、該コードが通された前記灯体の凹部の一部を前記カバー部材の一部で覆うことによって前記コードを灯体にクランプする。
【０００７】
請求項２記載の発明は、請求項１記載の発明において、前記灯体の凹部が前記カバー部材の一部によって覆われることによって該凹部に開口する隙間を前記コードの外径よりも小さく設定したことを特徴とする。
【０００８】
請求項３記載の発明は、請求項１又は２記載の発明において、前記灯体は、外周縁に沿う溝が形成されたハウジングであり、前記カバー部材は、外周部に略直角に突設された脚部が前記ハウジングの凹溝にはめ込まれて決着されることによって前記ハウジングの開口部を覆うアウタレンズであり、前記コードが通される凹部を前記ハウジングの凹溝に隣接して形成したことを特徴とする。
【発明の効果】
【０００９】
本発明によれば、灯体の一部に形成された凹部にコードを通し、該コードが通された灯体の凹部の一部をカバー部材の一部で覆うことによって、コードを専用部品や別部品を用いることなく簡単にクランプすることができ、部品点数や組立工数を削減して車両用灯具のコストダウンを図ることができる。この場合、灯体の凹部がカバー部材の一部によって覆われることによって該凹部に開口する隙間をコードの外径よりも小さく設定しておけば、コードが凹部から抜け出ることがなく、コードが灯体に確実にクランプされる。
【図面の簡単な説明】
【００１０】
【図１】本発明に係るコードのクランプ構造を備える車両用灯具要部の正面図である。
【図２】図１のＡ−Ａ線断面図である。
【発明を実施するための形態】
【００１１】
以下に本発明の実施の形態を添付図面に基づいて説明する。
【００１２】
図１は本発明に係るコードのクランプ構造を備える車両用灯具要部の正面図、図２は図１のＡ−Ａ線断面図である。
【００１３】
本実施の形態に係る車両用灯具１は、車両の前部左右に配置されるヘッドランプであって、該ヘッドランプ１は、ハウジング２とその前面開口部を覆う透明なアウタレンズ３によって画成される灯室４内に、バルブやＬＥＤ（発光ダイオード）等の光源と、該光源から出射する光を車両前方（図２の左方）に向けて反射させるリフレクタ等の光学部品、該光学部品とハウジングとの間の隙間を覆うエクステンション、光源を駆動制御する制御回路（何れも不図示）を収容して構成されている。尚、左右のヘッドランプ１の基本構成は同じであるため、以下、一方のヘッドランプ１についてのみ図示及び説明する。
【００１４】
ここで，前記ハウジング２は、光を透過しない不透明樹脂によって一体成形されており、図２に示すように、その外周縁にはリブ２Ａによって凹溝２ａが全周に亘って形成されている。又、透明樹脂によって一体成形された前記アウタレンズ３の外周縁の内面には、リブ状の脚部３Ａが全周に亘って直角に突設されており、この脚部３Ａをハウジング２の前記凹溝２ａに前方から嵌め込み、その嵌め込み部をホットメルト等の接着剤５によって接着することによって、アウタレンズ３の外周縁がハウジング２の開口部の周縁に被着され、該アウタレンズ３とハウジング２によって前記灯室４が画成されている。
【００１５】
ところで、灯室４内に収容された前記制御回路と光源とは、灯室４内に取り回されるコード６（図２参照）によって電気的に接続されるが、このコード６は、以下に説明するクランプ構造によってハウジング２にクランプされている。
【００１６】
即ち、図２に示すように、ハウジング２の前記凹溝２ａを形成する前記リブ２Ａの径方向内側（図２の下側）には別のリブ２Ｂがリブ２Ａと略平行に前方に向かって一体に突設されており、両リブ２Ａ，２Ｂの間には、前方に向かって開口する凹部２ｂが形成されている。そして、このハウジング２に形成された凹部２ｂにコード６が通されている。
【００１７】
他方、図２に示すように、アウタレンズ３の外周内面の脚部３Ａの径方向内側（図２の下側）には高さの低い突起３ａが一体に突設されており、この突起３ａと脚部３Ａとの間には、後方に向かって開口する凹部３ｂが形成されている。そして、このアウタレンズ３に形成された凹部３ｂには、ハウジング２に突設されたリブ２Ａが臨んでおり、アウタレンズ３に突設された突起３ａは、ハウジング２の凹部２ｂに臨んでいる。従って、コード６が通されたハウジング２の凹部２ｂの開口部の一部は、突起３ａを含むアウタレンズ３の一部によって覆われており、このとき、ハウジング２の凹部２ｂがアウタレンズ３の一部によって覆われることによって該凹部２ｂに開口する隙間δは、コード６の外径よりも小さく設定されている。
【００１８】
以上のように、本実施の形態に係るヘッドランプ１においては、ハウジング２の一部に形成された凹部２ｂにコード６を通し、該コード６が通されたハウジング２の凹部２ｂの一部をアウタレンズ３の一部で覆うようにしたため、コード６をクランプ等の専用部品や別部品を用いることなくハウジング２に簡単にクランプすることができ、部品点数や組立工数を削減して当該ヘッドランプ１のコストダウンを図ることができる。
【００１９】
又、本実施の形態では、ハウジング２の凹部２ｂがアウタレンズ３の一部によって覆われることによって該凹部２ｂに開口する隙間δをコード６の外径よりも小さく設定したため、コード６がハウジング２の凹部２ｂから抜け出ることがなく、コード６をハウジング２に確実にクランプすることができる。
【００２０】
尚、以上は本発明をヘッドランプにおけるコードのクランプ構造に対して適用した形態について説明したが、本発明は、ヘッドランプ以外任意の車両用灯具におけるコードのクランプ構造に対しても同様に適用可能であることは勿論である。又、以上の実施の形態では、灯体がハウジング、カバー部材がアウタレンズである場合を例として説明したが、これらの灯体とカバー部材は他の部材であっても良い。
【符号の説明】
【００２１】
１          ヘッドランプ（車両用灯具）
２          ハウジング（灯体）
２Ａ，２Ｂ  ハウジングのリブ
２ａ        ハウジングの凹溝
２ｂ        ハウジングの凹部
３          アウタレンズ（カバー部材）
３Ａ        アウタレンズの脚部
３ａ        アウタレンズの突起
３ｂ        アウタレンズの凹部
４          灯室
５          接着剤
６          コード
δ          ハウジングの凹部の隙間
【図１】
2016173891.tif 000003
【図２】
2016173891.tif 000004